(57)【要約】      （修正有）【課題】待機位置に位置する紫外線照射装置における紫外線の出射面の周囲に存在する各種構成部品が過熱されることを防止することが可能な冷却手段を備えた記録装置を提供する。【解決手段】インクジェットプリンタは、紫外線を照射する紫外線照射装置１０９の待機位置であって紫外線照射装置１０９の下方に冷却装置２００を備えている。冷却装置２００は、紫外線照射装置１０９の透過体１１２および透過体１１２を支持する底面１１０ａに対向して配置された筐体２０１の上面２０１ａに通気孔２０１ｂを備えているとともに、筐体２０１の内部に通気孔２０１ｂから外気を導入して筐体２０１の外に排気するためのファン２０２を備えている。冷却装置２００は、紫外線照射装置１０９が待機位置に位置するときファン２０２を作動させて、紫外線照射装置１０９の透過体１１２、底部１１０ａ、筐体２０１の上面２０１ａおよび筐体２０１内等に空気を供給して冷却する。【選択図】図３
2008173884.tif 000002
【特許請求の範囲】
【請求項１】
記録メディアの表面に紫外線によって硬化するインクを付着させる記録ヘッドと、
紫外線を含む光線を発光する光源を有し、前記記録メディアに付着した前記インクに前記光線を照射して同インクを硬化させる紫外線照射手段と、
前記紫外線照射手段を前記記録メディアに対して変位させる変位手段とを備えた記録装置において、
前記紫外線照射装置が待機位置に位置するとき、前記紫外線照射装置から前記光線が出射される出射面に空気を供給して、同出射面を冷却する冷却手段を備えたことを特徴とする記録装置。
【請求項２】
請求項１に記載した記録装置において、
前記冷却手段は、
前記待機位置に位置する前記紫外線照射装置から出射される前記光線の照射範囲内に、同光線が照射される受光部を備えるとともに同受光部に空気を供給して同受光部を冷却する記録装置。
【請求項３】
請求項１または請求項２に記載した記録装置において、
前記冷却手段は、前記紫外線照射装置の下方に設けられる記録装置。
【発明の詳細な説明】
【技術分野】
【０００１】
本発明は、記録メディアに付着させたインクに紫外線を照射して同インクを硬化させる紫外線照射装置を備えた記録装置に関する。
【背景技術】
【０００２】
従来から、紫外線を照射することにより硬化するインク（以下、「紫外線硬化型インク」という）を用いて、文字、記号または図形などの画像を紙などの記録メディアに印刷する記録装置がある。一般に、このような記録装置においては、記録メディアに付着させた紫外線硬化型インクに紫外線を照射する紫外線照射装置が搭載されている。紫外線照射装置は、記録メディアに紫外線硬化型インクを付着させる記録ヘッドとともに記録メディア上を変位しながら、記録メディア上に付着させた紫外線硬化型インクに直ちに紫外線を照射して、記録メディア上に付着させた紫外線硬化型インクを硬化させて記録メディア上に定着させる。
【０００３】
このような紫外線照射装置を搭載した記録装置においては、紫外線照射装置を待機位置に位置させた際、紫外線照射装置による光線の出射に起因して生じる熱により紫外線照射装置の周辺に存在する各種構成部品を損傷させることがある。このため、この種の記録装置の中には、待機状態にある紫外線照射装置から生じた熱を吸収する冷却手段を備えたものがある。例えば、下記特許文献１に記載されたインクジェットプリンタにおいては、待機位置に位置する紫外線照射装置から出射される紫外線の出射面を覆う筒状のカバーと、同カバー内に外気を導入して同カバーを冷却する吸気ファンとから構成された冷却手段を備えている。
【特許文献１】特開２００４−３２２５６０号公報
【０００４】
しかしながら、上記した冷却手段においては、カバー内部を冷却しているため紫外線照射装置から紫外線が出射される出射面と同出射面に対向するカバー表面との間の熱が迅速に解消され難い。このため、同間の周囲に存在する各種構成部品が上記熱により損傷することがある。また、光線の照射により紫外線の出射面自体も熱せられるため、待機状態にある紫外線照射装置においては、上記熱と出射面の加熱による熱とにより紫外線照射装置内部が高温状態と成り易い。このため、紫外線照射装置の内部を構成する部品、特に紫外線光源の損傷または劣化の促進が懸念されるという問題があった。
【発明の開示】
【０００５】
本発明は上記問題に対処するためなされたもので、その目的は、紫外線照射装置を備えた記録装置において、待機位置に位置する紫外線照射装置の出射面の周囲に存在する各種構成部品が過熱されることを防止して、これらの各種構成部品の損傷または劣化の促進を防止することが可能な冷却手段を備えた記録装置を提供することにある。
【０００６】
上記目的を達成するため、本発明の特徴は、記録メディアの表面に紫外線によって硬化するインクを付着させる記録ヘッドと、紫外線を含む光線を発光する光源を有し、記録メディアに付着したインクに前記光線を照射して同インクを硬化させる紫外線照射手段と、紫外線照射手段を記録メディアに対して変位させる変位手段とを備えた記録装置において、紫外線照射装置が待機位置に位置するとき、紫外線照射装置から光線が出射される出射面に空気を供給して、同出射面を冷却する冷却手段を備えたことにある。この場合、前記冷却手段を、例えば、紫外線照射装置の下方に設けるとよい。
【０００７】
このように構成した本発明の特徴によれば、紫外線照射装置が待機位置に位置しているとき、紫外線照射装置から光線が出射される出射面に空気を供給して、同出射面を冷却している。この場合、待機位置に位置する紫外線照射装置から光線が出射しているか否かは問わない。これにより、紫外線照射装置の光線の出射面およびその周辺部分が高温状態になることを防止することができる。この結果、待機状態にある紫外線照射装置における光線の出射面の周囲に存在する各種構成部品、特に、紫外線照射装置の内部を構成する部品（例えば、紫外線光源）が過熱されることを防止でき、これらの各種構成部品の損傷または劣化の促進を防止することができる。
【０００８】
また、本発明の他の特徴は、前記記録装置において、冷却手段は、待機位置に位置する紫外線照射装置から出射される光線の照射範囲内に、同光線が照射される受光部を備えるとともに同受光部に空気を供給して同受光部を冷却することにある。
【０００９】
このように構成した本発明の他の特徴によれば、待機状態にある紫外線照射装置から出射された光線が照射される受光部を備えるとともに、同受光部にも空気を供給して冷却している。これにより、待機状態にある紫外線照射装置から出射された光線が照射される部分および同部分の周辺部分が高温状態となることを防止できる。この結果、待機状態にある紫外線照射装置における光線の出射面の周囲に存在する各種構成部品が過熱されることを防止でき、これらの各種構成部品の損傷または劣化の促進を防止することができる。
【発明を実施するための最良の形態】
【００１０】
以下、本発明に係る記録装置の一実施形態について図面を参照しながら説明する。図１は、本発明に係るインクジェットプリンタ１００の全体を示す斜視図である。また、図２は、同インクジェットプリンタ１００の作動を制御する制御システムのブロック図である。なお、図１においては、本発明の主要部分を構成する冷却装置２００を実線で示し、その他の部分を破線で示している。インクジェットプリンタ１００は、紫外線によって硬化するインク（以後、「紫外線硬化型インク」という）の液滴をシート状の記録メディアＷＫの表面に付着させるとともに、同記録メディアＷＫの表面に付着させたインクの液滴に紫外線を照射して硬化させることにより、所望する文字、記号または図形などの画像を記録メディアＷＫ上に印刷する記録装置である。
【００１１】
このインクジェットプリンタ１００は、平面部が水平状態に配置されたプラテン１０１を備えている。プラテン１０１は、前記平面部上に記録メディアＷＫを載置する載置台であり、図示左右方向に延びて形成されている。プラテン１０１の中央部には、図示左右方向に沿って円筒状のグリッドローラ１０２がその上面部を露出させた状態で設けられている。このグリッドローラ１０２は、後述するコントローラ１２０によって作動が制御されるＸ軸方向フィードモータ１２１によって回転駆動される。プラテン１０１の上方には、プラテン１０１と平行な状態で長尺状のガイドレール１０３が設けられている。ガイドレール１０３の下部には、グリッドローラ１０２に対向した状態で円筒部を有する４つのピンチローラ１０４が略等間隔にそれぞれ設けられている。これらのグリッドローラ１０２およびピンチローラ１０４は、シート状の記録メディアＷＫを図示上下方向から挟持しながら図示前後方向に搬送する。ここで、記録メディアＷＫを搬送する図示前後方向をＸ軸方向、同Ｘ軸方向に直交する図示左右方向をＹ軸方向とする。
【００１２】
ガイドレール１０３は、直動レール１０５および直動ブロック１０６を介して記録ヘッドユニット１０７を支持する。直動レール１０５は、Ｙ軸方向に沿ってガイドレール１０３に固定された１本のレールである。また、直動ブロック１０６は、直動レール１０５に沿って摺動する移動体であり、記録ヘッドユニット１０７の背面に固定されている。すなわち、記録ヘッドユニット１０７は、直動レール１０６（ガイドレール１０４）に沿ってＹ軸方向に案内される。
【００１３】
記録ヘッドユニット１０７は、記録ヘッド１０８と紫外線照射装置１０９とから構成されている。これらのうち記録ヘッド１０８は、互い異なる４つの色の紫外線硬化型インクを貯留した図示しないインクタンクから各紫外線硬化型インクをそれぞれ導入して、同各紫外線硬化型インクの液滴を記録メディアＷＫに向けて出射する。紫外線照射装置１０９は、記録メディアＷＫの表面に紫外線を照射して、同記録メディアＷＫの表面に付着させた紫外線硬化型インクを硬化させる。具体的には、図３に示すように、紫外線照射装置１０９は、箱状の形成された筐体１１０の内部に、主として円筒状に形成された紫外線光源１１１（図において破線で示す）と平板状の透過体１１２とを備えている。
【００１４】
紫外線光源１１１は、気密性を有した円筒状に形成されており、主として紫外線を出射する光源である。本実施形態においては、紫外線光源１１１として低圧水銀ランプを用いているが、紫外線を出射する光源であれば他の光源、例えば、高圧水銀ランプ、キセノンフラッシュランプ、発光ダイオードなどであってもよい。透過体１１２は、紫外線光源１１１から出射された光線のうち、主として紫外線を透過させるガラス体であり、長方形状をした薄板状に形成されている。本実施形態においては、透過体１１２を石英ガラスによって構成しているが、他の素材（例えば、樹脂など）を用いて透過体１１２を構成してもよい。この透過体１１２は、筐体１１０の底面１１０ａの中央部に長方形状に形成された開口１１０ｂを覆う状態で固着されている。すなわち、これらの透過体１１２および底面１１０ａが、本発明に係る出射面に相当する。
【００１５】
記録ヘッドユニット１０７の背面上部には、Ｙ軸方向に沿って架設された駆動ベルト１１３の一部が固定されている。駆動ベルト１１３は、コントローラ１２０によって作動が制御されるＹ軸方向フィードモータ１２２の回転駆動によってＹ軸方向に変位する。すなわち、記録ヘッドユニット１０７は、駆動ベルト１１３を介してＹ軸方向フィードモータ１２２により直動レール１０５上をＹ軸方向に変位する。なお、図１において、記録ヘッドユニット１０７は、Ｙ軸方向における待機位置に位置した状態を示している。この記録ヘッドユニット１０７のＹ軸方向における待機位置は、記録ヘッドユニット１０７のＹ軸方向の変位の基準となる原点位置である。したがって、インクジェットプリンタ１００の起動時や記録メディアＷＫに対する印刷が行われない場合には、記録ヘッドユニット１０７は、この待機位置にて待機する。
【００１６】
前記待機位置に位置した記録ヘッドユニット１０７における紫外線照射装置１０９の下方には、筐体１１０の底面１１０ａに対向して冷却装置２００が設けられている。冷却装置２００は、待機状態にある紫外線照射装置１０９の下方に外気を導入して同紫外線照射装置１０９の下方周辺部を冷却する装置であり、筐体２０１を備えている。筐体２０１は、板金加工によってＸ軸方向に延びる箱状に成形されており、冷却装置２００の外形を構成する。紫外線照射装置１０９の底面１１０ａに対向する筐体２０１の上面２０１ａには、長方形状の複数の貫通孔から構成される通気孔２０１ｂが設けられている。この通気孔２０１ｂは、筐体２０１内に外気を導入するための孔であり、導入した外気を後述するファン２０２に導き易くするため筐体２０１の上面２０１ａの一部をファン２０２側（図示左側）に向けて折り曲げて形成されている。
【００１７】
筐体２０１の内部における前記通気孔２０１ｂが形成されていない上面２０１ａの下方には、筐体２０１内の空気を筐体２０１の外部に排気するためのファン２０２が設けられている。ファン２０２は、略円筒状に形成されたシロッコ型のファンであり、その中央部２０２ａから吸引した空気を、ファン２０２の外周面に設けられた排気口２０２ｂから同外周面の接線方向に向けて排気する。ファン２０２の排気口２０２ｂに対向する筐体２０１の側面には、同排気口２０２ｂの大きさに対応した大きさの開口２０１ｃが形成されている。なお、図３は、紫外線照射装置１０９と冷却装置２００との関係を理解し易くするため、構成や位置関係などを誇張して模式的に示した図である。
【００１８】
記録ヘッドユニット１０７の上方には、インクジェットプリンタ１００の上側の筐体を構成する長尺状の上カバー１１４が設けられている。また、プラテン１０１および上カバー１１４の両側には、インクジェットプリンタ１００の両側の筐体を構成するサイドカバー１１５Ｒ，１１５Ｌがそれぞれ設けられている。これらのうち、サイドカバー１１５Ｒの前面には、インクジェットプリンタ１００（コントローラ１２０）に指示を与えるとともに、インクジェットプリンタ１００（コントローラ１２０）からの情報を表示するための操作パネル１１６が設けられている。さらに、プラテン１０１の下方には、インクジェットプリンタ１００を支持するとともに、同インクジェットプリンタ１００を作業者の所望する位置に移動させることができるスタンド１１７が設けられている。
【００１９】
このインクジェットプリンタ１００は、ＣＰＵ、ＲＯＭ、ＲＡＭなどからなるマイクロコンピュータによって構成されたコントローラ１２０を内蔵している。コントローラ１２０は、作業者の指示に従ってＲＯＭなどの記憶装置に予め記憶されたプログラムを実行することにより、インクジェットプリンタ１００の各種作動を制御する。具体的には、このコントローラ１２０は、インターフェース１２３を介して外部コンピュータ装置１３０からの指示に従って、Ｘ軸方向フィードモータ１２１、Ｙ軸方向フィードモータ１２２、紫外線光源１１１およびファン２０２などの各作動をそれぞれ制御する。外部コンピュータ装置１３０は、キーボードおよびマウスからなる入力装置１３１、および液晶ディスプレイからなる表示装置１３２を備えるパーソナルコンピュータ（所謂パソコン）である。
【００２０】
次に、上記のように構成したインクジェットプリンタ１００の作動について説明する。まず、作業者は外部コンピュータ装置１３０とインクジェットプリンタ１００とをインターフェース１２３を介して接続し、外部コンピュータ装置１３０およびインクジェットプリンタ１００の電源をそれぞれ投入する。これにより、外部コンピュータ装置１３０は、図示しない所定のプログラムを実行することにより作業者からの指令の入力を待つ待機状態となる。また、インクジェットプリンタ１００は、コントローラ１２０内のＲＯＭに予め記憶されている図示しない所定のプログラムを実行することにより、記録ヘッドユニット１０７を原点復帰させた後、外部コンピュータ装置１３０からの指示を待つ待機状態となる。
【００２１】
次に、作業者は、シート状の記録メディアＷＫをプラテン１０１上にセットした後、外部コンピュータ装置１３０の入力装置１３１を操作して、インクジェットプリンタ１００に画像の印刷を指示する。この指示に応答してインクジェットプリンタ１００、具体的には、インクジェットプリンタ１００に内蔵されるコントローラ１２０は、外部コンピュータ装置１３０から出力される画像データに基づいて記録ヘッドユニット１０７と記録メディアＷＫの相対的な位置関係を変化させながら、記録ヘッド１０８の作動を制御して同記録メディアＷＫに向けて紫外線硬化型インクの液滴を出射する。これにより、記録メディアＷＫの表面に紫外線硬化型インクの液滴が付着する。そして、コントローラ１２０は、紫外線硬化型インクの出射とともに、紫外線照射装置１０９の作動を制御して記録メディアＷＫの表面に付着させた紫外線硬化型インクの液滴を硬化させる。これにより、記録メディアＷＫに付着した紫外線効果型インクが記録メディアＷＫ上に定着して画像の印刷が行われる。
【００２２】
一方、記録メディアＷＫに画像を印刷しない場合（例えば、外部コンピュータ装置１３０からの指示を待つ待機状態など）においては、コントローラ１２０は、記録ヘッドユニット１０７を待機位置に位置させる。そして、コントローラ１２０は、冷却装置２００による紫外線照射装置１０９の下方周辺部の冷却を開始する。具体的には、コントローラ１２０は、ファン２０２の作動を開始させる。これにより、通気孔２０１ｂを介して筐体２０１内に外気が導入されるとともに、同導入された外気がファン２０２および開口２０１ｃを介して筐体２０１の外に排気される。すなわち、図３の破線で示すように、紫外線照射装置１０９の底面１１０ａと筐体２０１の上面２０１ａとの間およびその周辺に存在する空気が、同間および通気孔２０１ｂを介して筐体２０１内に吸引される。
【００２３】
この場合、紫外線照射装置１０９は、待機中においても紫外線光源１１１から光線を出射し続けている。このため、筐体１１０内の底面１１０ａ、透過体１１２、筐体２０１の上面２０１ａにおける通気孔２０１ｂの周辺部および通気孔２０１ｂに対向する筐体２０１内の底部の一部には、紫外線光源１１１から出射した光線がそれぞれ照射される。これにより、これらの各部分、すなわち、光線が照射される筐体１１０内の底面１１０ａ、透過体１１２、筐体２０１の上面２０１ａにおける通気孔２０１ｂの周辺部および通気孔２０１ｂに対向する筐体２０１内の底部は加熱される。したがって、筐体２０１内に導かれる空気は、これらの各部分、すなわち、筐体１１０の底面１１０ａ、透過体１１２、筐体２０１の上面２０１ａにおける通気孔２０１ｂの周辺部および通気孔２０１ｂに対向する筐体２０１内の底部等をそれぞれ冷却しつつファン２０２および開口２０１ｃを介して筐体２０１の外に排気される。これにより、上記各部分および同各部分の周囲に存在する構成部品が過熱されて損傷することが防止される。
【００２４】
この場合、上記各部分のうち、紫外線照射装置１０９の筐体１１０の底面１１０ａおよび透過体１１２は、紫外線照射装置１０９を構成する部品である。すなわち、これらの各部品が直接冷却されることにより、紫外線照射装置１０９（筐体１１０）内部が高温状態となることを防止できる。この結果、筐体１１０の内部を構成する部品、特に紫外線光源１１１の損傷および劣化の促進を防止することができる。
【００２５】
また、上記各部分のうち、筐体２０１の上面２０１ａにおける通気孔２０１ｂの周辺部および通気孔２０１ｂに対向する筐体２０１内の底部は、待機状態にある紫外線照射装置１０９から出射される光線が照射される部分であり、本発明における受光部に相当する部分である。すなわち、これらの受光部を冷却することにより、待機状態にある紫外線照射装置１０９から出射される光線に起因して生じる熱も紫外線照射装置１０９の周辺部から排出することができる。これにより、待機状態にある紫外線照射装置１０９から出射された光線が照射される部分および同部分の周辺部分が過熱されて損傷することが防止できるとともに、同紫外線照射装置１０９における光線の出射面の周囲に存在する各種構成部品が過熱されることを防止できる。なお、本発明者の実験によれば、紫外線照射装置１０９の透過体１１２の直下３０ｍｍの位置において、同位置の温度が６５℃未満であることが確認された。
【００２６】
このようにして、記録ヘッドユニット１０７の印刷処理または待機処理がそれぞれ行われる。そして、作業者の所望する画像の印刷が終了した場合には、作業者は、プラテン１０１上から記録メディアＷＫを取り外し、インクジェットプリンタ１００および外部コンピュータ装置１３０の各作動を停止させて印刷作業を終了する。
【００２７】
上記作動説明からも理解できるように、上記実施形態によれば、待機状態にある紫外線照射装置１０９の底面１１０ａおよび透過体１１２に空気を供給して、これらの部分を冷却している。これにより、紫外線照射装置１０９の底面１１０ａ、透過体１１２およびその周辺部分が高温状態となることを防止することができる。この結果、待機状態にある紫外線照射装置１０９の底面１１０ａおよび透過体１１２の周囲に存在する各種構成部品、特に、紫外線照射装置１０９の内部が過熱されることを防止でき、これらの各種構成部品の損傷または劣化の促進を防止することができる。
【００２８】
また、上記実施形態によれば、待機状態にある紫外線照射装置１０９から出射された光線が照射される受光部、具体的には、筐体２０１の上面２０１ａにおける通気孔２０１ｂの周辺部および通気孔２０１ｂに対向する筐体２０１内の底部を備えるとともに、同各受光部にも空気を供給して冷却している。これにより、待機状態にある紫外線照射装置１０９から出射された光線が照射される部分および同部分の周辺部分が高温状態となることを防止できる。この結果、待機状態にある紫外線照射装置１０９における光線の出射面の周囲に存在する各種構成部品が過熱されることを防止でき、これらの各種構成部品の損傷または劣化の促進を防止することができる。
【００２９】
さらに、本発明の実施にあたっては、上記実施形態に限定されるものではなく、本発明の目的を逸脱しない限りにおいて種々の変更が可能である。
【００３０】
上記実施形態においては、通気孔２０１ｂから外気を導入するとともに、同導入した外気を開口２０１ｃから排気するように構成した。しかし、紫外線照射装置１０９の筐体１１０の底面１１０ａ、透過体１１２、筐体２０１の上面２０１ａにおける通気孔２０１ｂの周辺部および通気孔２０１ｂに対向する筐体２０１内の底部等に空気を供給して冷却できれば、すなわち、紫外線照射装置１０９から光線が出射される出射面、および同紫外線照射装置１０９から出射された光線が照射される受光部に空気を供給して冷却できれば空気の流れる方向は、これに限定されるものではない。例えば、開口２０１ｃから外気を導入して、同導入した外気を通気孔２０１ｂから排気するように構成してもよい。これによっても、上記実施形態と同様の効果が期待できる。
【００３１】
また、上記実施形態においては、待機状態にある紫外線照射装置１０９から出射された光線が照射される受光部、具体的には、筐体２０１の上面２０１ａにおける通気孔２０１ｂの周辺部および通気孔２０１ｂに対向する筐体２０１内の底部を備えるとともに、同各受光部にも空気を供給して冷却するように構成した。しかし、待機状態にある紫外線照射装置１０９によって光線が照射される部分が、紫外線照射装置１０９等に熱的影響を与えない場合、例えば、同部分と紫外線照射装置１０９との距離が十分離れている場合や、同部分が別途の冷却手段（例えば、ヒートシンク）により冷却されている場合などには、必ずしも、これらの部分を冷却する必要はない。この場合、紫外線照射装置１０９から光線が出射される出射面に対してのみ空気を供給して冷却すればよい。これによっても、上記実施形態と同様の効果が期待できる。
【００３２】
また、上記実施形態においては、冷却装置２００を箱状に形成したが、紫外線照射装置１０９から光線が出射される出射面、および同紫外線照射装置１０９から出射された光線が照射される受光部に空気を供給して冷却できれば、これに限定されるものではない。例えば、図４に示すように、紫外線照射装置１０９の筐体１１０の底面１１０ａに対向して、平面状の受光部２０３を形成するとともに、同底面１１０ａと受光部２０３との間に空気を供給（図示矢印）するようにファン２０４を設けて構成してもよい。すなわち、受光部を単に平面状に形成した。これによっても、紫外線照射装置１０９から光線が出射される出射面、および同紫外線照射装置１０９から出射される光線が照射される受光部を冷却でき、上記実施形態と同様の効果が期待できる。
【００３３】
また、上記実施形態においては、筐体２０１内にファン２０２を設けたが、紫外線照射装置１０９から光線が出射される出射面、および同紫外線照射装置１０９から出射される光線が照射される受光部に空気を供給して冷却できれば、ファン２０２の位置は、これに限定されるものではない。例えば、ファン２０２を筐体２０１内における通気孔２０１ｂの直下に配置するなど、上記実施形態とは異なる位置に設けてもよいし、筐体２０１の外側に隣接して設けてもよい。また、上記図４に示したように底面１１０ａと受光部２０３との間にファン２０２（ファン２０４）を設けてもよい。さらに、紫外線照射装置１０９にファン２０２を設けてもよい。この場合、紫外線照射装置１０９内を冷却するためのファンとファン２０２とを兼用させて１つのファンを設けて構成してもよいし、それぞれ別途設けるように構成してもよい。これらの場合、紫外線照射装置１０９から出射された光線がファン２０２に直接照射されないようにすることが望ましい。これらによっても、上記実施形態と同様の効果が期待できる。
【００３４】
また、上記実施形態においては、待機位置に位置する紫外線照射装置１０９は、光線を出射するように構成したが、必ずしも光線を出射する必要はない。すなわち、紫外線照射装置１０９が待機位置に位置した場合、光線の出射を中断させてもよい。通常、待機位置に位置する紫外線照射装置１０９は、記録メディアＷＫに対する印刷処理によって高温状態となっている。したがって、紫外線照射装置１０９が待機位置に位置した場合、光線の出射を停止させるとともに、冷却装置２００によって冷却するように構成すれば、より迅速に紫外線照射装置１０９の出射面近傍を冷却することができる。なお、この場合、紫外線照射装置１０９が待機位置に位置する場合、光線の出射が停止されるため、待機状態にある紫外線照射装置１０９から出射された光線が照射される受光部は不要である。
【００３５】
また、上記実施形態においては、インクジェットプリンタ１００に本発明を適用した例を紹介したが、これに限定されるものではない。すなわち、紫外線硬化型インクを用い、同紫外線硬化型インクに紫外線を照射し硬化させて画像の印刷を行う方式の記録装置に広く適用できるものである。これによっても、上記実施形態と同等の効果が期待できる。
【図面の簡単な説明】
【００３６】
【図１】本発明の一実施形態に係るインクジェットプリンタの全体を示す斜視図である。
【図２】図１に示すインクジェットプリンタの作動を制御する制御システムの概略を示すブロック図である。
【図３】図１に示す紫外線照射装置および冷却装置をＸ軸方向から見た断面形状を模式的に示す断面図である。
【図４】本発明の他の実施形態に係る冷却装置を紫外線照射装置とともにＸ軸方向から見た断面形状を模式的に示す断面図である。
【符号の説明】
【００３７】
ＷＫ…記録メディア、１００…インクジェットプリンタ、１０１…プラテン、１０２…グリッドローラ、１０３…ガイドレール、１０４…ピンチローラ、１０５…直動レール、１０６…直動ブロック、１０７…記録ヘッドユニット、１０８…記録ヘッド、１０９…紫外線照射装置、１１０…筐体、１１０ａ…底面、１１１…紫外線光源、１１２…透過体、２００…冷却装置、２０１…筐体、２０１ａ…上面、２０１ｂ…通気孔、２０２…ファン。
【図１】
2008173884.tif 000003
【図２】
2008173884.tif 000004
【図３】
2008173884.tif 000005
【図４】
2008173884.tif 000006